(57)【要約】【課題】発出時間の長短に関わらず直前に発出された音の調整を即座に可能にする。【解決手段】  音量キーが押下されると（Ｓ５０１）、それまでに発出指示した音があるかを判断する（Ｓ５０２）。発出指示した音がある場合、最後に発出された音の音種の調整画像を表示し、直ちに調整作業ができるようにする（Ｓ５０３）。発出指示した音がない場合、既定の音種の調整画像（特定調整画像）を表示し、通常の調整フローで作業できるようにする。【選択図】図５
2016085605.tif 000002
【特許請求の範囲】
【請求項１】
音の調整値を設定するための調整画像を音種毎に表示する表示手段と、
前記調整画像を通じて前記調整値の設定を受け付ける入力手段と、
設定された前記調整値に従う音を発出させる音発出手段と、
発出した音の音種を記憶媒体に記憶するとともに、音の調整時に、前記記憶媒体に記憶されている音種の前記調整画像の表示を前記表示手段へ指示する制御手段と、
を備えて成る画像処理装置。
【請求項２】
前記制御手段は、最も新しく発出された音の音種を前記記憶媒体に残す、
請求項１に記載の画像処理装置。
【請求項３】
前記記憶媒体は、揮発性の書き換え可能な記憶媒体であり、
前記制御手段は、装置電源がオンとなっている間に発出された音の音種を前記記憶媒体に上書きすることにより、最も新しく発出した音の音種を当該記憶媒体に残す、
請求項２に記載の画像処理装置。
【請求項４】
前記制御手段は、前記調整時に前記記憶媒体から前記音種を取得できない場合は、既定の音種についての前記調整画像である特定調整画像の表示を前記表示手段へ指示する、
請求項１ないし３のいずれか１項に記載の画像処理装置。
【請求項５】
前記制御手段は、前記音種と共に音の発出日時を前記記憶媒体に記憶し、
記憶された音種が、前記調整時から所定時間前までの間に発出した音の音種の場合は当該記憶された音種の調整画像の表示を前記表示手段へ指示し、そうでない場合は前記特定調整画像の表示を前記表示手段へ指示する、
請求項４記載の画像処理装置。
【請求項６】
設定された調整値に従う音を発出させる画像処理装置が実行する方法であって、
前記音を発出したときの音種を所定の記憶媒体に上書きしながら記憶し、
前記音の調整時に、前記記憶媒体に記憶されている音種の取得を試み、取得できた場合は当該音種の音の調整値を設定するための調整画像を所定の操作画面に表示させ、取得できなかった場合は既定の音種についての前記調整画像である特定調整画像の表示を前記操作画面に表示させ、これらの画像を通じて前記調整値の設定を可能にすることを特徴とする、
画像処理装置から発出する音の調整方法。
【請求項７】
前記画像処理装置は、前記音種と共に音の発出日時を前記記憶媒体に記憶し、
記憶された音種が、前記調整時から所定時間前までの間に発出した音の音種の場合は当該記憶された音種の調整画像を前記操作画面に表示させ、そうでない場合は既定の音種についての前記調整画像である特定調整画像を前記操作画面に表示させることを特徴とする、
請求項６に記載の調整方法。
【請求項８】
コンピュータを画像処理装置として動作させるためのコンピュータプログラムであって、
前記コンピュータを、
音の調整値を設定するための調整画像を音種毎に表示する表示手段、
前記調整画像を通じて前記調整値の設定を受け付ける入力手段、
設定された前記調整値に従う音を発出させる音発出手段、
発出した音の音種を所定の記憶媒体に記憶するとともに、音の調整時に、前記記憶媒体に記憶されている音種の前記調整画像の表示を前記表示手段へ指示する制御手段、として機能させるコンピュータプログラム。
【発明の詳細な説明】
【技術分野】
【０００１】
本発明は、音を発出する画像処理装置及びこの画像処理装置による音の調整方法に関する。
【背景技術】
【０００２】
データ通信機能や印刷機能などを備えた画像処理装置の中には、送信完了音、受信完了音、着信音、入力音など、様々な種類の音を発出するものがある。このような発出音を調整することができる装置として、特許文献１に開示された画像処理装置がある。この画像処理装置は、音量調整ダイヤルの機能を備えており、現在発出している音種（音の種類、以下同じ）の音に対してユーザがダイヤルを操作することで、音種に関わらず、即座に音量を変更させるものである。
【先行技術文献】
【特許文献】
【０００３】
【特許文献１】特開２０１０−６８１９７号公報
【発明の概要】
【発明が解決しようとする課題】
【０００４】
特許文献１に記載された画像処理装置は、発出中の音の音量を変更するものである。そのため、発出時間の短い音、例えば送信完了音、入力音、エラー音などについては、調整することができない。この場合、予め音種毎に音量などの調整を行うための操作画面を用意しておくことも可能であるが、操作画面に移行する操作と、操作画面へ移行した後に音種などを選ぶ操作とが必要となり、迅速な調整ができない。
本発明は、直前に発出した音などの調整を迅速かつ容易に行うことができる画像処理装置を提供することを主たる課題とする。
【課題を解決するための手段】
【０００５】
本発明が提供する画像処理装置は、音の調整値を設定するための調整画像を音種毎に表示する表示手段と、前記調整画像を通じて前記調整値の設定を受け付ける入力手段と、設定された前記調整値に従う音を発出させる音発出手段と、発出した音の音種を所定の記憶媒体に記憶するとともに、音の調整時に、前記記憶媒体に記憶されている音種の前記調整画像の表示を前記表示手段へ指示する制御手段と、を備えた装置である。
【発明の効果】
【０００６】
本発明によれば、発出された音の音種が記憶されるので、発出時間の長短に関わらず、音の調整が迅速かつ容易に行えるようになり、調整時の操作性を高めることができる。
【図面の簡単な説明】
【０００７】
【図１】第１実施形態に係る画像処理装置のハードウェア構成図。
【図２】第１実施形態に係る画像処理装置の機能構成図。
【図３】操作部の説明図。
【図４】（ａ）はメニュー画面、（ｂ），（ｃ）は調整画像の例示図。
【図５】第１実施形態における音の調整方法の手順説明図。
【図６】第１実施形態における音種保存テーブルの例示図。
【図７】第２実施形態における音の調整方法の手順説明図。
【発明を実施するための形態】
【０００８】
以下、本発明の実施の形態例を説明する。
［第１実施形態］
図１は、第１実施形態における画像処理装置のハードウェア構成図である。この画像処理装置１００は、通信機能と印刷機能とを有する装置であり、制御部１０１を備えている。制御部１０１は、システムバス１０５に、様々な機能部品を接続して構成される。機能部品は、ＣＰＵ１０２、ＲＡＭ１０３、ＲＯＭ１０４、補助記憶装置１１４を有するコンピュータを含む。ＣＰＵ（Central Processing Unit）１０２は、本発明のコンピュータプログラムを実行することにより、画像処理装置１００全体の動作を制御する。つまり、コンピュータプログラムは、コンピュータを画像処理装置１００として動作させるためのものである。ＲＡＭ（Random Access Memory）１０３は、揮発性の書き換え可能な記憶媒体であり、各種設定パラメータ、各種ワーク用バッファなどを格納する。ＲＯＭ（Read Only Memory）１０４は、書き換え不能な記憶媒体であり、ＣＰＵ１０２の制御プログラムや各種固定データを格納する。補助記憶装置１１４はハードディスクやフラッシュメモリ等の不揮発性の記憶媒体であり、各種データ、各種プログラム、及び、各種情報テーブルを格納する。
【０００９】
システムバス１０５には、プリンタＩ／Ｆ１０６、スキャナＩ／Ｆ１０８、操作パネルＩ／Ｆ１１０、ブザー制御部１１５、ＭＯＤＥＭ１１７、ネットワークＩ／Ｆ１１３などの機能部品も接続される。プリンタＩ／Ｆ１０６は、プリンタ１０７とのインタフェースである。スキャナＩ／Ｆ１０８は、スキャナ１０９とのインタフェースである。ＣＰＵ１０２は、スキャナＩ／Ｆ１０８からの画像信号を処理し、記録画像信号としてプリンタＩ／Ｆ１０６へ出力する。
【００１０】
操作パネルＩ／Ｆ１１０は、タッチパネル１１１、表示部１１２、ハードキー１１８と制御部１０１とのインタフェースである。表示部１１２は、例えば液晶ディスプレイで構成される表示デバイスであり、音の調整値を設定するための調整画像を音種毎に表示する操作画面と操作キーと有する。操作画面には、プリンタＩ／Ｆ１０６、スキャナＩ／Ｆ１０８、ネットワークＩ／Ｆ１１３からの入力による変化などを監視するための監視画像も切替表示される。タッチパネル１１１は、表示部１１２の操作画面と一体に形成されるタッチセンサであり、操作画面上でユーザがタッチ操作したときの座標を制御部１０１に伝える。ハードキー１１８は、タッチパネル１１１と共に、ユーザが画像処理装置１００に対して印刷指示、設定変更などを行うときに操作する入力デバイスである。
【００１１】
タッチパネル１１１、表示部１１２及びハードキー１１８で操作パネルを構成する。
操作パネルのうち、表示部１１２の操作画面は、音の調整値を設定するための調整画像を音種毎に表示する表示手段として機能する。また、入力デバイスは、上記の調整画像を通じて調整値の設定を受け付ける入力手段として機能する。
制御部１０１は、操作パネルの入力デバイスを通じて入力された指示、設定、操作の内容を基に、コピー、スキャン、ファックスなどのジョブ実行、ジョブのパラメタ設定の変更、及び、発出する音の調整などを行う。
ネットワークＩ／Ｆ１１３は、画像処理装置１００から図示しない外部端末に向けて情報を送信したり、外部端末から各種情報を受信したりするインタフェースである。
【００１２】
ブザー制御部１１５は、制御部１０１から指示された音種と音量で、スピーカ１１６に音の情報を出力する。モデム１１７は、ファクス通信を行うためのデータ回線終端装置であり、ファクス送信時に、画像信号等のデジタル情報をアナログ出力する。また、ファクス受信時に、アナログ情報をデジタル情報に変換し、これを制御部１０１に伝える。送信、受信時に音を出力する必要があるときは、スピーカ１１６に対して、音の出力指示を行う。スピーカ１１６は、音の情報及びその出力指示に従い、音を発出させる音発出手段である。
【００１３】
次に、画像処理装置１００の機能について説明する。図２は、制御部１０１のＣＰＵ１０２が本発明のコンピュータプログラムを読み込んで実行することにより、制御部１０１において実現される機能の構成図である。本実施形態では、制御部１０１を、キー入力制御部２０１、音種記憶制御部２０２、音量登録制御部２０３、音量キー入力制御部２０６、画面表示制御部２０４、音量変更部２０５として機能させる。
これらの機能の内容を説明する前に、まず、表示部１１２の構造例及び操作画面に表示される調整画像の例を、図３及び図４を参照して説明する。
【００１４】
図３は、表示部１１２の構造例を示す図である。表示部１１２は、操作画面３０１と、操作画面３０１の周辺に配置された複数の操作キーとを有している。操作画面３０１には、タッチパネル１１１を構成するパネルシート３０２が貼られている。操作画面３０１に表示された操作子（ソフトウェアキー）が押されると、押された位置の位置情報（座標）が、制御部１０１のＣＰＵ１０２に伝えられる。
【００１５】
操作キーは、ハードキー１１８と異なる機能が割り当てられたキーである。本例では、スタートキー３０３、ストップキー３０５、ＩＤキー３０６、リセットキー３０７、音量キー３０８、テンキー３０９が設けられている。スタートキー３０３の中央部には、緑と赤の２色ＬＥＤ３０４が設けられている。スタートキー３０３は、原稿画像の読み取り動作の開始指示などを受け付けるキーである。スタートキー３０３は、２色ＬＥＤ３０４の色により、現在、使える状態にあるかどうかをユーザに表示する。ストップキー３０５は、稼働中の動作を止める指示を受け付けるキーである。ＩＤキー３０６は、使用者のユーザＩＤの入力を受け付けるキーである。リセットキー３０７は、操作画面３０１における各種設定などの初期化の指示を受け付けるキーである。音量キー３０８は、各種の調整画像の表示指示を受け付けるキーである。テンキー３０９は、数字などの入力を受け付けるキーである。
【００１６】
本実施形態では、音の調整値を、操作画面３０１に表示される調整画像の表示を通じて行う。図４は、調整画像の例を示す図である。図４（ａ）は、例えば音量キー３０８の操作時に表示されるリスト画面４００の例示図である。先頭の１行目は音量調整に関するタイトル行であり、それ以降の行は、調整可能な音種が表示される。リスト画面４００を通じて切替表示される調整画像は、大別して２種類用意されている。
１つの種類は、音のＯＮ／ＯＦＦの切替タイプであり、もう１つの種類は音量の調整タイプである。切替タイプの音種は、例えば入力音、警告音、入力無効音、補給予告音、節電移行音、フィーダー原稿検知音、ジョブ終了音などであり、それぞれについて調整画像が用意されている。ＯＮ／ＯＦＦの切替は、該当するエリア（ソフトウエアキー）へのタッチ操作により行われる。タッチ操作の結果は、音量登録制御部２０３に伝達される。調整タイプの音種は、通信音量、送信終了音量、読取終了音量、受信終了音量などであり、それぞれについて調整画像が用意されている。
【００１７】
切替タイプの調整画像４１１の例を図４（ｂ）に示す。図４（ｂ）の先頭行はタイトル行である。ここでは、「入力音」の切替を行う画像であることが示されている。ＯＦＦキー４１２は、入力音の出力の停止を指示するためのソフトウェアキーである。ＯＮキー４１３は、入力音を出力を指示するためのソフトウエアキーである。
図４（ｃ）は、通信音量の調整タイプの調整画像４２１の例を示す。調整画像４２１には、変更できる音量の音種と現在設定されている調整値とが表示されている。ユーザが、調整画像４２１を通じて音量を設定する場合、調整値を変更させるための音量調整スライドバー４２２を操作する。変更後、ユーザが「確定」キー４２４を操作すると、確定した音量が新たな調整値として音種と関連付けて保持される。この調整画像４２１からユーザが他の音種についての設定を行いたいときは、「他の音量調整」キー４２３をタッチ操作することにより、再度、図４（ａ）のリスト画面４００が表示される。
【００１８】
図２に戻り、キー入力制御部２０１は、タッチパネル１１１のソフトウエアキーを通じて入力されたユーザの操作内容を認識し、認識した操作内容に応じた制御を行う。例えば、通信音量の調整画像４２１において、音種毎の音量が確定された場合、音量登録制御部２０３に、音量変更を指示する。また、入力音の調整画像４１１において、入力音のＯＦＦキー４１２又はＯＮキー４１３が押下された場合は、音量登録制御部２０３に、音の出力の要否を指示する。
【００１９】
音種記憶制御部２０２は、調整値が設定された音種をＲＡＭ１０３に記憶するための制御を行う。ＲＡＭ１０３に記憶する音種の数は１つだけであり、既に記憶されている音種と同じ音種の場合は上書きする。つまり、装置電源がオンとなっている間に発出された音の音種をＲＡＭ１０３に上書きすることにより、最も新しく発出された（最後に発出された）音の音種だけを残す。これにより、操作画面３０１に調整画像を切替表示するための処理を迅速にすることができる。
音種記憶制御部２０２は、また、操作画面３０１に表示する調整画像をどの音種のものにするかどうかを決定する。
音量登録制御部２０３は、キー入力制御部２０１で設定された音量の調整値をテーブル形式で記憶する。このテーブル形式のデータを音量調整テーブルと呼ぶ。
【００２０】
画面表示制御部２０４は、音種記憶制御部２０２に記憶された音種の調整画像を操作画面３０１に切替表示するための制御を行う。音量変更部２０５は、調整画像を通じてユーザが設定した調整値（変更されたものを含む）を確定し、この調整値を用いてＭＯＤＥＭ１１７或いはブザー制御部１１５を制御する。つまり、スピーカ１１６から音を発出させる。また、発出した音種を音種記憶制御部２０２に記憶させる。
音量キー入力制御部２０６は、音の調整時の音量キー３０８のユーザによる操作を認識し、認識結果を音種記憶制御部２０２に伝える。
【００２１】
このように、第１実施形態の画像処理装置１００では、設定された調整値に従う音を発出させる。また、音を発出したときの音種をＲＡＭ１０３に上書きしながら記憶する。
以下、この画像処理装置１００における音の調整時の動作例を図５を参照して説明する。ここでは、音量の調整手順について説明する。
ユーザにより音量キー３０８が押下されると、音量キー入力制御部２０６は、音の調整が指示されたことを検知する（Ｓ５０１）。そして、音種記憶制御部２０２が、ＲＡＭ１０３に記憶されている音種の取得を試みる。つまり、装置電源オン以降に音量変更部２０５により音の発出指示された音があるかどうかを判断する（Ｓ５０２）。ここで判断しているのは発出指示がされたか否かであり、音の発出中の操作内容については判断しない。音種記憶制御部２０２は、音種を１つだけ記憶するので、「発出指示がされた音がある」とは、最後に記憶された１つの音種があるということを示す。
【００２２】
発出指示がされた音がある場合（Ｓ５０２：Ｙ）、つまり、音種を取得できた場合、画面表示制御部２０４は、当該音種の音の調整値を設定するための調整画像を操作画面３０１に表示させるように表示部１１２へ指示を出す（Ｓ５０３）。その後、処理を終える。
発出指示された音が無い場合（Ｓ５０２：Ｎ）、つまり、音種を取得できない場合、画面表示制御部２０４は、特定調整画像を操作画面３０１に表示させるように表示部１１２へ指示を出す（Ｓ５０４）。その後、処理を終える。特定調整画像は、既定の音種についての調整画像である。特定調整画像としては、例えば、図４（ｂ）に示した通信音量の調整画像４２１とすることができる。通信機能のない画像処理装置１００の場合、通信音量は存在しないので、既定の画面をリスト画面４００にすることも可能である。
そして、ユーザによるこれらの画像を通じて調整値の設定を可能にする。
【００２３】
図５の処理の内容を、具体的なユースケースで説明する。前提として、画像処理装置１００の電源オン以降に、入力音の発出指示があるものとする。この場合、ユーザによる音量キー３０８操作時には、入力音の調整画像４１１が表示される。ユーザは、入力音の調整を音量キー３０８の押下と、タッチパネルの１回の操作だけで行うことができる。
画像処理装置１００の電源オン以降に、音の発出指示が一度もなかった場合、ユーザが音量キー３０８操作時には、通信音量の調整画像４２１が表示される。ユーザは、通信音量調整を、音量キー３０８の押下操作だけで行うことができる。
【００２４】
このように、第１実施形態によれば、音量キー３０８による音量の調整時に、その直前に発出した音（最後に発出された音）の音種の調整画像が即座に表示される。つまり、発出時間の短い音（送信完了音、入力音、エラー音など）であっても、音量調整が容易になる。そのため、音調整時のユーザの操作性を向上することができる。
【００２５】
［第２実施形態］
次に、本発明の第２実施形態について説明する。第１実施形態では、音量キー３０８による音量の再調整時に、その直前に発出した音が、音の調整時から数時間前であった場合も、その音種の調整画像が表示される。そのため、既定の操作画面の操作を望むユーザにとっては不便となる場合がある。そこで、第２実施形態では、音種と音の発出日時とを同一テーブルで記憶する。そして、音量キー３０８の操作の所定時間前から音が発出していない場合は、既定の調整画像を表示するようにした。
なお、第２実施形態のうち、第１実施形態と同一の構成要素については、同一符号を付してその説明を省略する。
【００２６】
第２実施形態において、音種記憶制御部２０２は、音量変更部２０５により指定された音種と共に音の発出日時を音種記憶テーブル６００に格納する。音種記憶テーブル６００は、ＲＡＭ１０３に格納され、ＣＰＵ１０２が変更する。また、音量キー３０８の押下により表示する音量調整画像の音種を決定する。
音種記憶テーブル６００の内容例を図６に示す。装置電源オン時、音種６０１には、音が発出していないことを示す値が格納される。音量変更部２０５により発出指示が出されると、音種記憶テーブル６００が更新される。音種記憶テーブル６００は、ＲＡＭ１０３に保存されるため、画像処理装置１００の電源オフにより、消失する。
【００２７】
次に、第２実施形態における音の調整時の動作例を図７を参照して説明する。ここでは、音量の調整手順について説明する。音量キー入力制御部２０６が音の調整を検知した後（Ｓ７０１）、装置電源オン以降に音量変更部２０５により発出指示した音があるかどうかを判断するまで（Ｓ７０２）は、図５のＳ５０１〜Ｓ５０２と同じである。また、発出指示した音がない場合（Ｓ７０２：Ｎ）、画面表示制御部２０４が、特定調整画像の表示を指示する（Ｓ７０５）手順は、図５のＳ５０４と同じである。
【００２８】
第２実施形態では、発出指示した音がある場合（Ｓ７０２：Ｙ）、音種記憶制御部２０２が、音種記憶テーブル６００の発出した日時６０２と、現在日時を元に、最後に鳴った音種が所定の時間以内に発出指示されたかどうかを判断する（Ｓ７０３）。所定の時間以内に発出指示があった音である場合（Ｓ７０３：Ｙ）、画面表示制御部２０４が、発出指示した音種の調整画像を表示する（Ｓ７０４）。
このような手順により、最後に発出指示が出されたのが数時間前である場合、音量キー３０８を押下したユーザの注目範囲外として、既定の調整画像を通じて調整値を設定することができる。
【００２９】
このように、第２実施形態では、ＲＡＭ１０３に記憶された音種が、調整時から所定時間前までの間に発出した音の音種の場合は当該記憶された音種の調整画像の表示を表示部１１２へ指示し、そうでない場合は特定調整画像の表示を表示部１１２へ指示する。これにより、既定の調整手順を望むユーザの操作性を維持することができる。
【００３０】
第２実施形態の動作例を、具体的なユースケースで説明する。前提として、画像処理装置１００の電源オン以降の、５分後に入力音の発出指示があるとする。そして、ユーザは電源オン後１時間後に音量キー３０８を操作するものとする。この場合、５５分前の音の調整画像は、ユーザの注目範囲ではないため、通信音量の調整画像４２１が表示される。
また、画像処理装置１００の電源オン以降に、７分後に送信終了音の発出指示があり、ユーザが電源オン後８分後に音量キー３０８を操作したとする。この場合、ユーザが音量キー３０８を操作したときは送信終了音量４０９の調整画像が表示され、ユーザの注目とする送信音量の調整が即座にできるようになる。
【００３１】
［他の実施形態］
以上説明したように、第１及び第２実施形態によれば、発出時間の短い音（送信完了音、入力音、エラー音など）であっても、即時に音の調整に対応することができる。そのため、音調整時の操作性を高めることができる。
なお、第１及び第２実施形態では、音種の記憶数は１つだけの例を示したが、実施内容によっては、２つ以上に増やし、優先順位によっていずれか１つを選択することも可能である。また、第１及び第２実施形態では、音量を調整する場合の例を説明したが、音量以外のパラメータ、例えば音色、音調などを調整する場合も、同様の手順で実施が可能である。
【００３２】
また、本発明は、上記のコンピュータプログラムを、ネットワーク又は可搬性の記憶媒体を介して、画像処理装置１００の制御部１０１に供給し、ＣＰＵ１０２がコンピュータプログラムを読出し、実行する形態でも実施が可能である。本発明は、また、１以上の機能を実現する回路（例えば、ＡＳＩＣ）によっても実現が可能である。
【図１】
2016085605.tif 000003
【図２】
2016085605.tif 000004
【図３】
2016085605.tif 000005
【図５】
2016085605.tif 000006
【図６】
2016085605.tif 000007
【図７】
2016085605.tif 000008
【図４】
2016085605.tif 000009